(57)【要約】履物、特に運動靴のための搬送用及び／または販売用ボックス（２）と、弾性材料製のバッグ（３）とを備えるシステム（１）に関する。軽量で、必要とする材料が少なく、環境に配慮した消費者が使いやすいシステムを提供するために、履物のための収納空間（４）を有するボックス（２）を提供する。収納空間（４）は少なくとも部分的に、底面パネル（５）及び底面パネル（５）から延在する４つの壁（６、７、８、９）によって画定され、少なくとも１つの壁（６）は開口部（１２）を有し、バッグ（３）はボックス（２）を収容するための収容空間を有し、バッグ（３）はバッグ（３）を運搬するためのハンドル（１１）を有する。ボックス（２）及びバッグ（３）は、ボックス（２）がバッグ（３）の中にあるとき、ハンドル（１１）を壁（６）の１つにある開口部（１２）に通すように設計される。履物のための搬送用及び／または販売用ボックスとして提供してもよい。【選択図】図１ａ
2013525210.tif 000002
【特許請求の範囲】
【請求項１】
履物、特に運動靴のための搬送用及び／または販売用ボックス（２）と、弾性材料製のバッグ（３）とを備えたシステム（１）であって、
ボックス（２）が、履物を収納する収納空間（４）を有し、収納空間（４）が、少なくとも部分的に底面パネル（５）及び底面パネル（５）から延在する少なくとも２つ、好ましくは４つの壁（６、７、８、９）によって画定され、少なくとも１つの壁（６）が開口部（１２）を有し、
バッグ（３）が、ボックス（２）を収容する収容空間と、バッグ（３）を運搬するためのハンドル（１１）とを有し、
ボックス（２）がバッグ（３）の中にあるとき、ハンドル（１１）が壁（６）の開口部（１２）に通される構成である
ことを特徴とするシステム。
【請求項２】
開口部（１２）が壁（６）の中央に配置される
請求項１に記載のシステム。
【請求項３】
スロット（１０）が壁（６）に配置され、開口部（１２）から、底面パネル（５）から離間した壁（６）の端部まで延在する構成である
請求項１または２に記載のシステム。
【請求項４】
開口部（１２）が壁（６）に対して垂直な方向から見て円形、楕円形または長方形である
請求項１ないし３のいずれかに記載のシステム。
【請求項５】
ボックス（２）が底面パネル（５）に連結する仕切壁（１３）を有し、仕切壁（１３）が底面パネル（５）に略垂直に配置され、収納空間（４）を２つの部分（４’、４”）に区切る構成である
請求項１ないし４のいずれかに記載のシステム。
【請求項６】
仕切壁（１３）が底面パネル（５）の一部から成り、底面パネル（５）の一部が底面パネル（５）から切り抜かれ、底面パネル（５）に垂直な面に折り曲げられる構成である
請求項５に記載のシステム。
【請求項７】
仕切壁（１３）が少なくとも１つの切欠き（１４）を底面パネル（５）から離間した端部領域に有し、切欠き（１４）が仕切壁（１３）に、ボックス（２）を運搬するための開口を形成する構成である
請求項５または６に記載のシステム。
【請求項８】
仕切壁（１３）が、ボックス（２）の長手方向軸（Ｌ）に対して２０°と４０°との間の角度（α）で延在する構成である
請求項５ないし７のいずれかに記載のシステム。
【請求項９】
ボックス（２）がフラットパネル部材（１５）から成り、壁（６、７、８、９）及び仕切壁（１３）がフラットパネル部材（１５）の部分をフラットパネル部材（１５）の面から折り曲げることによって形成され、底面パネル（５）がフラットパネル部材（１５）の一部を構成する
請求項５ないし８のいずれかに記載のシステム。
【請求項１０】
フラットパネル部材（１５）がフラットな底面素材から穴抜きされる部分である
請求項９に記載のシステム。
【請求項１１】
壁（６、７、８、９）の少なくとも１つが、２つの壁部分（６、６”、８’、８”）から成り、２つの壁部分（６、６”、８’、８”）がフラットパネル部材（１５）によって形成され、お互いに対して折り曲げられる構成である
請求項９または１０に記載のシステム。
【請求項１２】
折り目（１６）及び／または穴抜き部分（１７）が底面パネル（５）と壁（６、７、８、９）との間に配置される
請求項９ないし１１のいずれかに記載のシステム。
【請求項１３】
少なくとも２つの壁、好ましくはすべての壁（６、７、８、９）が底面パネル（５）まで８０°と８９°との間の角度（β）、特に好ましくは８２°と８６°との間の角度（β）で延在する構成である
請求項１ないし１２のいずれかに記載のシステム。
【請求項１４】
底面パネル（５）の角が丸みを帯びている（１８）構成である
請求項１ないし１３のいずれかに記載のシステム。
【請求項１５】
ボックス（２）が厚紙またはボール紙から成る
請求項１ないし１４のいずれかに記載のシステム。
【請求項１６】
履物、特に運動靴のための搬送用ボックス及び／または販売用ボックス（２）であって、請求項１ないし１５のいずれかに記載のシステムにおいて好ましくは用いられ、
ボックス（２）が履物のための収納空間（４）を有し、収納空間（４）が少なくとも部分的に、底面パネル（５）及び底面パネル（５）から延在する少なくとも２つ、好ましくは４つの壁（６、７、８、９）によって画定され、
ボックス（２）が底面パネル（５）に連結する仕切壁（１３）を有し、仕切壁（１３）が底面パネル（５）に略垂直に配置され、仕切壁（１３）が収納空間（４）を２つの部分（４’、４”）に区切る構成である
ことを特徴とするボックス。
【請求項１７】
仕切壁（１３）が底面パネル（５）の一部から成り、底面パネル（５）の一部が底面パネル（５）から切り抜かれ、底面パネル（５）の面から底面パネル（５）に垂直な面に折り曲げられる構成である
請求項１６に記載のボックス。
【請求項１８】
仕切壁（１３）が少なくとも１つの切欠き（１４）を底面パネル（５）から離間した端部領域に有し、切欠き（１４）が仕切壁（１３）に、ボックス（２）を運搬するための開口を形成する構成である
請求項１６または１７に記載のボックス。
【請求項１９】
ボックス（２）が長手方向軸（Ｌ）を有し、仕切壁（１３）が長手方向軸（Ｌ）に対して２０°と４０°との間の角度（α）で延在する構成である
請求項１６ないし１８のいずれかに記載のボックス。
【請求項２０】
ボックス（２）がフラットパネル部材（１５）から成り、壁（６、７、８、９）及び仕切壁（１３）がフラットパネル部材（１５）の部分をフラットパネル部材（１５）の面から折り曲げることによって形成され、底面パネル（５）がフラットパネル部材（１５）の一部である
請求項１６ないし１９のいずれかに記載のボックス。
【請求項２１】
少なくとも１つの壁（６）が開口部（１２）を有する
請求項１６ないし２０のいずれかに記載のボックス。
【請求項２２】
開口部（１２）が壁（６）の中央に配置される
請求項２１に記載のボックス。
【請求項２３】
スロット（１０）が壁（６）に配置され、開口部（１２）から、底面パネル（５）から離間した壁（６）の端部まで延在する構成である
請求項２１または２２に記載のボックス。
【請求項２４】
開口部（１２）が壁（６）に対して垂直方向から見て、円形、楕円形または長方形である
請求項２１ないし２３のいずれかに記載のボックス。
【請求項２５】
フラットパネル部材（１５）がフラットな底面素材から穴抜きされる部分である
請求項２０ないし２４のいずれかに記載のボックス。
【請求項２６】
壁（６、７、８、９）の少なくとも１つが、２つの壁部分（６、６”、８’、８”）から成り、２つの壁部分（６、６”、８’、８”）がパネル部材（１１）によって形成され、お互いに対して折り曲げられる構成である
請求項２０ないし２５のいずれかに記載のボックス。
【請求項２７】
折り目（１６）及び／または穴抜き部分（１７）が底面パネル（５）と壁（６、７、８、９）との間に配置される
請求項２０ないし２６のいずれかに記載のボックス。
【請求項２８】
少なくとも２つの壁、好ましくはすべての壁（６、７、８、９）が底面パネル（５）まで８０°と８９°との間の角度（β）、特に好ましくは８２°と８６°との間の角度（β）で延在する構成である
請求項１６ないし２７のいずれかに記載のボックス。
【請求項２９】
底面パネル（５）の角が丸みを帯びている（１８）構成である
請求項１６ないし２８のいずれかに記載のシステム。
【請求項３０】
ボックス（２）が厚紙またはボール紙から成る
請求項１６ないし２９のいずれかに記載のボックス。
【発明の詳細な説明】
【技術分野】
【０００１】
本発明は、履物、特に運動靴のための搬送用ボックス及び／または販売用ボックスと、弾性材料製のバッグとを備えるシステムに関する。さらに、本発明は履物のための搬送用ボックス及び／または販売用ボックスに関する。
【背景技術】
【０００２】
特に、搬送のため、及び販売用の展示のために、履物は適切な容器に梱包しなくてはならない。厚紙製のシューズボックスは従来技術において既知である。
【０００３】
さらに、特許文献１から、バッグを用いて一足の運動靴を梱包し、その後搬送のため、及び販売用の展示のために容器に梱包することが知られている。
【０００４】
通常、一方では運動靴に最適な搬送容器を用いて、費用効率の高い物流を可能にすることと、他方では販売時に靴を展示する際に、容器を魅力的に見せることとの妥協点を見いださなければならない。
【０００５】
履物用の搬送システムの他の態様は、履物を搬送するために、及び店内で履物を展示するために必要な空間である。また、システムを構成するために必要となる素材量も問題である。さらに、履物を搬送及び販売するための既存のシステムの欠点は、システムが環境に十分配慮したものではなく、消費者にとって使いにくいことである。
【先行技術文献】
【特許文献】
【０００６】
【特許文献１】米国特許第７５８１６４３号
【発明の概要】
【課題を解決するための手段】
【０００７】
本発明は、履物のための搬送用ボックス及び／または販売用ボックスと、上述の種類のバッグとを備えるシステムを提供することを課題とする。本システムにより、履物を効率的に扱い、搬送することができる。また、本システムは履物を好ましい方法で展示するためにも適切である。本システムは費用効率の高い方法で製造可能であり、従来から既知のシステムに比べて、必要とする素材が少なく、環境により配慮し、消費者が使いやすい、軽量なものである。
【０００８】
この目的に対する解決策として、履物、特に運動靴のための搬送用ボックス及び／または販売用ボックスと、弾性材料製のバッグとを備えるシステムを提案する。本システムでは、ボックスは履物のための収納空間を有する。収納空間は少なくとも部分的に、底面パネル及び底面パネルから延在する少なくとも２つの、好ましくは４つの壁によって画定される。少なくとも１つの壁は開口部を有する。バッグはボックスを収容するための収容空間を有し、バッグを運搬するためのハンドルを有する。ボックス及びバッグは、ボックスがバックの中にあるときに、ハンドルを壁の１つにある開口部に通すように設計される。
【０００９】
好ましくは、開口部は壁の中央に配置される。さらに、スロットは壁に配置され、開口部から、底面パネルから離間した壁の端部まで延在することもある。好ましい解決策では、開口部は壁と垂直な方向から見て円形である。代替的に、形状は楕円形または長方形であることもある。
【００１０】
ボックスは底面パネルと連結する仕切壁を有することもある。仕切壁は底面パネルに略垂直に配置され、収容空間を２つの部分に区切る。仕切壁は底面パネルの一部から成ることもあり、底面パネルの一部は底面パネルから切り抜かれ、底面パネルの面から底面パネルに垂直な面に折り曲げられる。
【００１１】
仕切壁はさらに、少なくとも１つの切欠きを底面パネルから離間した端部領域に有する。この切欠きはボックスを運搬するための開口を仕切壁に形成する。ボックスは長手方向軸を有することもあり、仕切壁は長手方向軸に対して２０°と４０°との間の角度で延在する。ボックスはフラットパネル部材から成ることもあり、壁及び仕切壁はフラットパネル部材の部分をフラットパネル部材の面から折り曲げることによって形成され、底面パネルはフラットパネル部材の一部である。フラットパネル部材はフラットな底面素材から穴抜きされた部分であることもある。壁の少なくとも１つは、フラットパネル部材によって形成され、お互いに対して折り曲げられる２つの壁部分から成る。
【００１２】
ボックスを容易に組み立てるために、折り目及び／または穴抜き部分を底面パネルと壁との間及び複数の壁部分の間に配置することもある。
【００１３】
好ましくは、少なくとも２つの壁、好ましくはすべての壁は８０°と８９°との間の角度で、特に８２°と８６°との間の角度で底面パネルまで延在する。それにより、ボックスの積み重ねが極めて容易になる。
【００１４】
底面パネルの角を丸めることもある。ボックスは、好ましくは、厚紙またはボール紙から成る。
【００１５】
搬送用ボックス及び／または販売用ボックスはバッグなしで用いられることもある。本事例では、ボックスが底面パネルに連結する仕切壁を有し、仕切壁が底面パネルに略垂直に配置され、仕切壁が収容空間を２つの部分に区切る場合に、非常に有利な特徴である。
【００１６】
ボックスは上述の設計的特徴のすべてを有してもよい。
【００１７】
したがって、本発明は、履物用の搬送容器及び運搬装置の分野に関し、より具体的には、かさが小さく、素材が少なく、より環境に配慮した、消費者が使いやすい搬送容器及び運搬装置にも関する。本発明の搬送容器は、底面を囲む２つから４つの側壁を有する殻体（つまりボックス）と、中央ハンドル／仕切とを含む。それにより、例えば１足の靴などの製品を容易に組み立て、配置し、取り出すことができる。
【００１８】
搬送容器または殻体はさらに、少なくとも１つの開口部分を含む。開口部分は搬送容器内に収められた履物を収納するように設計される。殻体はさらに、便宜上交換してもよい後壁及び前壁を含む。後壁及び前壁は単一の壁による構造も考えられるが、一般的に、一体蝶番によって二等分される二重の壁である。後壁及び前壁はラベル及びその他認印を配置できる大きさの区域を提供し、鋭い角が履物の運搬バッグとからまないように、丸みを帯びていてもよい角部分を含む。ハンドル／仕切は、一般的に、底面の中間区域に配置され、開口部分に延在する。ハンドル／仕切は殻体及び／または殻体内の個別の履物を運搬するために用いられてもよい。
【００１９】
搬送容器はさらに、１または複数の蝶番部分、例えば、一体蝶番を含み、搬送容器の製造、搬送及び積み重ねを容易に行えるようにする。本発明の範囲内の搬送容器の形状及び設計によって、搬送容器が開口状態、または使用状態にあるときに、積み重ねることによって搬送容器の保管が可能となる。より具体的には、開口状態において、１または複数の一体蝶番によって、傾斜して積み重ねることが可能となるように搬送容器の壁は傾斜する。一例として、搬送容器の垂直な壁は中央（またはハンドル／仕切）に向かって数度、例えば６度傾斜してもよい。垂直な壁をこのように中央に向かって折り曲げると、殻体が強化されるとともに、上面の開口も小さくなる。このような設計によって、積み重ねた殻体がお互いに対して崩れ落ちることを防ぎ、殻体内の製品を押し上げ、その結果として製品にかかる摩擦が増加して、製品が移動したり、殻体から落ちる可能性が小さくなる。
【００２０】
殻体の前壁及び後壁は、殻体の組立及び分解を容易にするための少なくとも１つの切欠き部分、例えば指で引っ張る部分を有する。好ましい実施形態では、後壁及び／または前壁は、履物運搬バッグの固定部分のハンドルを収容するために、スロット付き部分を含む。切欠き部分は、搬送運搬装置全体を組み立てるときに、バッグを殻体に対して固定及び固定解除するために役立つ。履物を含有するバッグのハンドルがスロット及び切欠き（開口部）を用いて所定の位置に固定されると、この構成によって、搬送中、保管中または店舗での展示中に、履物を固定し、塵や埃から保護して清潔に保つことができる。引っ張り穴の切欠き（開口部）は、バッグを殻体に対して固定及び固定解除するために、バッグによって干渉されない区域に配置されてもよい。
【００２１】
搬送容器はさらに、仕切部分及びラベルを収容するため、及びユーザが操作するための穴、付属物、通路などの特徴を含んでもよい。例えば、履物をボックス内に配置する場合、履物はひも部分をハンドルに対して位置合わせするように配置される。この配置により、ユーザがハンドルとして用いるために、ハンドルを底面に対して略垂直な方向に位置決めできる。
【００２２】
搬送容器の組立は効率的であり、フラットな殻体または部分的にフラットな殻体を得ること、ハンドル／仕切を空間に向かって広げることまたは移動させること、及び後壁、前壁及び側壁を容器の構造に折り曲げることを含む。後壁及び前壁が両面仕様の場合、後壁及び前壁を一体蝶番に沿って折り曲げ、次に所定の位置に配置するべきである。側壁のタブ部分は、組み立てた構造を固定するために、後壁及び前壁内部に、または後壁及び前壁に沿って配置してもよい。
【００２３】
搬送容器は、従来技術のボール紙製シューズボックスよりも軽く、必要な素材が少なくなるように設計される。搬送容器はパルプ、成形繊維、リサイクル紙またはプラスチックなどの剛性の高い軽量成分から製造されることもある。搬送容器は、好ましくは、丈夫であり、小売業者または消費者が使用可能である。それにより、小売業者は容器を固定して積み重ね、または配置することができる。履物の発送には、例えば、従来技術のシューズボックスを使用する必要がないため、費用がかからず、より環境に配慮したものとなっている。消費者が購入後、殻体は消費者が容易に殻体を分解して、適切に処分及び／またはリサイクルできるように設計されている。また、殻体が店舗にあるときには、店員が容易に殻体を分解できる。このため、後壁及び／または前壁のそれぞれは、分解に役立つように引っ張り部分として用いるための追加の切欠きを含んでもよい。また、バッグのハンドルを固定するために用いる切欠きを、殻体を分解するための引っ張り部分として用いてもよい。
【００２４】
本発明の履物運搬装置システムによって、追加のショッピングバッグまたは厚紙は、販売業者、卸売業者、小売業者またはユーザにおいて不要となる。履物運搬装置は単体のボックス型運搬装置を排除するため、既存の従来技術のシューズボックスよりも４０％から８５％まで軽くなる。この減量により大幅に費用が削減される。
【００２５】
履物運搬バッグは、一端が閉じた開放型バッグである。バッグは開いた端部の片側に沿ったループ状のハンドルを含んでもよい。ループ状のハンドルは、バッグの開いた端部の反対側に位置する開口と組み合わさる。バッグは殻体及び／または殻体内に含有する履物を（ハンドル及び開口を経て）囲み、固定するように設計される。固定は、バッグのハンドルをスロットに通して殻体の切欠き（ボックスの開口部）まで挿入することによって実現する。固定すると、バッグのハンドルは殻体及び履物の持ち運び用ハンドルとして機能する。搬送容器を開けて履物を取り出すためには、ユーザは殻体の後壁または前壁に沿って、切欠き及びスロットからバッグのハンドルを解除し、殻体を保持または抑制しながら、バッグを外す。したがって、搬送容器を閉じるためには、ユーザはバッグを殻体の端部（後壁または前壁）上で摺動させ、バッグを殻体上にかぶせ、バッグのハンドルを殻体のスロット及び切欠きに通して固定する。履物を含有するバッグ及び殻体は履物が摩擦で傷つくこと、またはお互いにこすりあうことを防ぎ、最終的なエンドユーザが新品の状態で受け取れるように履物を保存する。
【００２６】
本発明の履物運搬バッグは、例えば、柔らかい構造のタイベック、不織布ポリプロピレン、または綿などの天然繊維等の軽量素材から製造される。好ましくは、素材は一般的に防水または防塵である。
【００２７】
本発明の搬送容器及び履物運搬バッグは、ランニングシューズ及びウォーキングシューズなどの履物と共に用いてもよい。ただし、衣類及びその他の消費財を本発明で論じる履物の代わりに用いることもできる。
【図面の簡単な説明】
【００２８】
【図１】履物のための搬送用ボックスと弾性材料製のバッグとを備えるシステムの斜視図
【図１ａ】ボックスが部分的にバッグから引き出されている状態のシステムの斜視図
【図２】バッグを用いない図１のシステム、すなわち、ボックスの斜視図
【図３】厚紙製のフラットパネル部材からボックスが組み立てられる様子を示すフラットパネル部材の上面説明図
【図４】ボックスを組み立てる際のフラットパネル部材の第１の状態を示す説明図
【図５】ボックスを組み立てる際のパネル部材の第２の状態を示す説明図
【図６】組立が完了したボックスを示す説明図
【図７】ボックスの一部であるボックス端部の１つを拡大した斜視図
【図８】お互いに積み重ねた２つのボックスの正面図
【図９】組み立てたボックスの平面図
【図１０】搬送用ボックスをバッグから引き出す際のシステムの斜視図
【図１１】１足の靴を運搬中のボックスの斜視図
【図１２】持ち運び中の、ボックスとバッグとを備えるシステムの斜視図
【図１３ａ】バッグのハンドルを開口に挿入する一段階におけるバッグの斜視図
【図１３ｂ】バッグのハンドルを開口に挿入する一段階におけるバッグの斜視図
【図１３ｃ】バッグのハンドルを開口に挿入する一段階におけるバッグの斜視図
【図１４】持ち運び中の、１足の靴を入れたバッグを示す説明図
【発明を実施するための形態】
【００２９】
以下に図面を用いて、本発明の実施形態を説明する。
【００３０】
図１において、履物、特に運動靴のための搬送用ボックス及び／または販売用ボックス２と、弾性材料製のバッグ３とを備えるシステム１を示す。
バッグ３は単一のハンドル１１を有する。ボックス２の側面のうち１つ、つまり例示する実施形態における壁６は、１つの側面から壁６の中央まで延在するスロット１０を有する。図示されるように、バッグ３のハンドル１１（後ほど詳細に説明する）は図１に示す位置に到達するまで、スロット１０に通される。ラベルまたはタグ１９を、壁６の表面に、例えばのりで接着するなどして固定する。したがって、図示されるように、履物をボックス２に保管し、その周囲をバッグ３が覆うときに、ラベル１９は可視である。
【００３１】
図１ａにおいて、ボックス２は部分的にバッグ３から引き出されている。図２において、ボックス２は、その周りを覆うバッグ３を用いずに図示される。ボックス２は、ボックス２の収納空間４を２つの部分４’及び４”に区切る仕切壁１３（後ほど詳細に説明する）を有する。
【００３２】
図３では、フラットパネル部材１５を示す。フラットパネル部材１５は厚紙素材からなり、フラットな素材に穴を開け、図３に示す形状を得る。フラットパネル部材１５は、図４〜６に示されるように折りたたまれ、３つの連続する組立段階を経てボックス２を形成する。ボックス２はボックス２の底部を形成する底面パネル５を有する。４つの側壁６、７、８、及び９は底面パネル５に当接する。底面パネル５と壁６、７、８、９の間には、折り目１６及び／または穴抜き部分１７が配置され、それにより組立時に底面パネル５に対して壁６、７、８、９を容易に折り曲げることができる。
【００３３】
壁のうち２つ、つまり壁６及び８は、２つの壁部分６’、６”及び８’、８”から成る。２つの壁部分６’、６”及び８’、８”はお互いに対して折り曲げられ、壁６及び８を補強する。つまり壁６及び８はこのように二重の壁の厚さを有する。２つの部分６’、６”及び８’、８”をそれぞれ折り曲げるために、ここでも折り目１６を配置することもある。
【００３４】
別の設計の態様は、バッグ３のハンドル１１を挿入するためのスロット１０である。図３から分かるように、それぞれの穴抜き部分はフラットパネル部材１５に配置される。壁部分６’、６”を折りたたむと、図１及び２から分かるように、スロット１０は壁６の側面端部から壁の中間まで延在する。図示されるように、図ｌａ及び２からも分かるように、スロット１０の端部は円形の開口部１２まで続く。開口部１２はバッグ３のハンドル１１を確実に固定し、取扱時にボックス２を容易に引き出せるようにもする（図１０参照）。
【００３５】
別の設計の態様は仕切壁１３である。仕切壁１３はボックス２の内部収納空間４全体を２つの部分４’、４”に区切ることに関与する（例えば図２参照）。仕切壁１３はフラットパネル部材１５の一部でもあり、フラットパネル部材１５の製造時に部分的に穴抜きされている。そのため仕切壁１３を底面パネル５の面から折り曲げ、仕切壁１３の面が底面パネル５の面に略垂直となるような位置にすることは容易に可能である。
【００３６】
仕切壁１３は収容空間を２つの部分に区切るだけではなく、バッグ３がボックス２を覆っていないときに、ボックス２の持ち運びも可能にする（図１１参照）。運びやすくするために、仕切壁１３は切欠き１４を有する。切欠き１４によって、仕切壁１３をしっかりと担持することができ、その結果としてボックス２をしっかりと担持することができる。より具体的に言えば、ボックス２を搬送中に、切欠き１４の鋭い縁で指を切らないように、次のように好ましい解決方が提案されている。仕切壁１３に半円形に穴を開け（図示せず）、半円形の円形部分がボックス２の底面側を向くようにする。次に、この半円の穴抜き部分を仕切壁１３の面から押し出し、上方に折り曲げることができる。これにより、ボックスを運搬する指は丸みを帯びた表面に接触し、指を切る危険性はない。
【００３７】
図３から分かるように、ボックス、より具体的には底面パネル５は長手方向軸Ｌを有する。仕切壁１３は、長手方向軸Ｌに対して角度αで配置され、図示する実施形態では約２０°で配置される。
【００３８】
図３において、壁部分６”及び８”の端部領域に切欠き２２が穴抜きされていることも分かる。これらの切欠きによって、ボックス２の解体が容易になり、リサイクルが推奨される。
【００３９】
組立中に、最初に仕切壁１３を所定の位置に折り曲げる（図４参照）。次に、壁を所定の位置に折り曲げる。この組立段階を図５に示す。組立が完成したボックス２を図６に示す。
【００４０】
図７において、符号１８で示すように、底面パネル５の角及び壁６、７、８、９の角が丸みを帯びていることが詳細に分かる。これらの丸みはフラットパネル部材１５を製造時に、穴開けによって機械加工される（図３参照）。
【００４１】
フラットパネル部材１５が壁７及び壁９に連結するフラップ２０も有するとき、特に堅固なボックスが得られる。これらのフラップは、ボックスを組み立てる際に壁部分６’と６”、及び８’と８”との間の２つの層の間にそれぞれ配置することもある。これにより、ボックス２は高い剛性を有し、これは複数のボックス２をお互いに積み上げるときに特に有利である。
【００４２】
複数のボックス２をお互いに積み上げる事例を図８に２つのボックスを用いて示す。図８では、別の設計の詳細が明らかになっている。壁６、７、８、９は底面パネル５に対して垂直に延在せず、底面パネル５の垂直方向に対して小角度γで延在する（図８参照）。つまり、底面パネル５の面と壁６、７、８、９の面との間の角度βは９０°よりもわずかに小さく、具体的には８２°と８６°との間である。それにより、角度γは４°と８°との間となる。角度βは８４°であることが好ましい。
【００４３】
このため、ボックス２がバッグ３で覆われていない場合、積み重ねは極めて容易である。
【００４４】
図９は、組み立てたボックス２の上面図を示す。図１０に示すように、このボックスはスロット１０の端部にある開口部１２によって、バッグ３から容易に引き出すことができる。図１１では、バッグ３のないボックス２を仕切壁１３によって運搬することができる方法を示す。図１２は、バッグ３のハンドル１１によって、ボックス２及びバッグ３を備えるシステムを運搬することを示す。
【００４５】
図１３及び１４に示すように、履物をボックス２を用いずに、バッグ３のみを用いて運搬することも可能である。図１３では、靴がバッグ３の中にあるとき、バッグ３を閉じるためにハンドル１１を開口２１に通す３つの連続段階を示す。ハンドル１１はバッグの開いた口の片側に配置される。図１３ａでは、バッグ３は開いており、靴を容易に出し入れできる。図１３ｂでは、バッグ３を閉じるために、ハンドル１１をバッグの開いた口反対側にある開口２１に通す。図１３ｃによれば、次に、ハンドル１１を引っ張ると、バッグ３の開いた口はきつく閉じられる。
【００４６】
本発明によるシステム１の特別な適用としては、ボックス２がバッグ３の中にあるとき、バッグ３のハンドル１１を壁６の外側から開口部１２を通してボックス２の内側まで通すことが挙げられる。これにより、本システムを用いる靴を保管する際に埃から良好に保護することができ、つまり、本事例では、ボックス２は環境に対して良好に封止されている。また、このとき、ラベル１９のバーコードも利用しやすい。本システムをこのように適用することは、スロット１０を有さず、壁の１つに開口部１２のみを有するボックス２を用いる場合には、特に有利である（図示せず）。
【符号の説明】
【００４７】
１  システム
２  搬送用及び／または販売用ボックス
３  バッグ
４、４’、４”  収納空間／収納空間部分
５  底面パネル
６  壁
６’、６”  壁部分
７  壁
８  壁
８’、８”  壁部分
９  壁
１０  スロット
１１  ハンドル
１２  開口部
１３  仕切壁
１４  切欠き
１５  フラットパネル部材
１６  折り目
１７  穴抜き部分
１８  丸みを帯びた角
１９  ラベル／タグ
２０  フラップ
２１  開口
２２  切欠き
Ｌ  長手方向軸
α、β、γ  角度
【図１】
2013525210.tif 000003
【図１ａ】
2013525210.tif 000004
【図２】
2013525210.tif 000005
【図３】
2013525210.tif 000006
【図４】
2013525210.tif 000007
【図５】
2013525210.tif 000008
【図６】
2013525210.tif 000009
【図７】
2013525210.tif 000010
【図８】
2013525210.tif 000011
【図９】
2013525210.tif 000012
【図１０】
2013525210.tif 000013
【図１１】
2013525210.tif 000014
【図１２】
2013525210.tif 000015
【図１３ａ】
2013525210.tif 000016
【図１３ｂ】
2013525210.tif 000017
【図１３ｃ】
2013525210.tif 000018
【図１４】
2013525210.tif 000019
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
履物、特に運動靴のための搬送用及び／または販売用ボックス（２）と、弾性材料製のバッグ（３）とを備えたシステム（１）であって、
ボックス（２）が、履物を収納する収納空間（４）を有し、収納空間（４）が、少なくとも部分的に底面パネル（５）及び底面パネル（５）から延在する少なくとも２つ、好ましくは４つの壁（６、７、８、９）によって画定され、少なくとも１つの壁（６）が開口部（１２）を有し、
バッグ（３）が、ボックス（２）を収容する収容空間と、バッグ（３）を運搬するためのハンドル（１１）とを有し、
ボックス（２）がバッグ（３）の中にあるとき、ハンドル（１１）が壁（６）の開口部（１２）に通される構成であり、
少なくとも２つの壁（６、７、８、９）が底面パネル（５）まで８０°と８９°との間の角度（β）で延在し、壁（６、７、８、９）の上端部が収束角度（β）内に配置される
ことを特徴とするシステム。
【請求項２】
少なくとも２つの壁、好ましくはすべての壁（６、７、８、９）が底面パネル（５）まで８２°と８６°との間の角度（β）で延在する構成である
請求項１に記載のシステム。
【請求項３】
開口部（１２）が壁（６）の中央に配置される
請求項１または２に記載のシステム。
【請求項４】
スロット（１０）が壁（６）に配置され、開口部（１２）から、底面パネル（５）から離間した壁（６）の端部まで延在する構成である
請求項１または３のいずれかに記載のシステム。
【請求項５】
開口部（１２）が壁（６）に対して垂直な方向から見て円形、楕円形または長方形である
請求項１ないし４のいずれかに記載のシステム。
【請求項６】
ボックス（２）が底面パネル（５）に連結する仕切壁（１３）を有し、仕切壁（１３）が底面パネル（５）に略垂直に配置され、収納空間（４）を２つの部分（４’、４”）に区切る構成である
請求項１ないし５のいずれかに記載のシステム。
【請求項７】
仕切壁（１３）が底面パネル（５）の一部から成り、底面パネル（５）の一部が底面パネル（５）から切り抜かれ、底面パネル（５）に垂直な面に折り曲げられる構成である
請求項６に記載のシステム。
【請求項８】
仕切壁（１３）が少なくとも１つの切欠き（１４）を底面パネル（５）から離間した端部領域に有し、切欠き（１４）が仕切壁（１３）に、ボックス（２）を運搬するための開口を形成する構成である
請求項６または７に記載のシステム。
【請求項９】
仕切壁（１３）が、ボックス（２）の長手方向軸（Ｌ）に対して２０°と４０°との間の角度（α）で延在する構成である
請求項６ないし８のいずれかに記載のシステム。
【請求項１０】
ボックス（２）がフラットパネル部材（１５）から成り、壁（６、７、８、９）及び仕切壁（１３）がフラットパネル部材（１５）の部分をフラットパネル部材（１５）の面から折り曲げることによって形成され、底面パネル（５）がフラットパネル部材（１５）の一部を構成する
請求項６ないし９のいずれかに記載のシステム。
【請求項１１】
フラットパネル部材（１５）がフラットな底面素材から穴抜きされる部分である
請求項１０に記載のシステム。
【請求項１２】
壁（６、７、８、９）の少なくとも１つが、２つの壁部分（６、６”、８’、８”）から成り、２つの壁部分（６、６”、８’、８”）がフラットパネル部材（１５）によって形成され、お互いに対して折り曲げられる構成である
請求項１０または１１に記載のシステム。
【請求項１３】
折り目（１６）及び／または穴抜き部分（１７）が底面パネル（５）と壁（６、７、８、９）との間に配置される
請求項１０ないし１２のいずれかに記載のシステム。
【請求項１４】
底面パネル（５）の角が丸みを帯びている（１８）構成である
請求項１ないし１３のいずれかに記載のシステム。
【請求項１５】
ボックス（２）が厚紙またはボール紙から成る
請求項１ないし１４のいずれかに記載のシステム。
【請求項１６】
履物、特に運動靴のための搬送用ボックス及び／または販売用ボックス（２）であって、請求項１ないし１５のいずれかに記載のシステムにおいて好ましくは用いられ、
ボックス（２）が履物のための収納空間（４）を有し、収納空間（４）が少なくとも部分的に、底面パネル（５）及び底面パネル（５）から延在する少なくとも２つ、好ましくは４つの壁（６、７、８、９）によって画定され、
ボックス（２）が底面パネル（５）に連結する仕切壁（１３）を有し、仕切壁（１３）が底面パネル（５）に略垂直に配置され、仕切壁（１３）が収納空間（４）を２つの部分（４’、４”）に区切る構成であり、
少なくとも２つの壁（６、７、８、９）が底面パネル（５）まで８０°と８９°との間の角度（β）で延在し、壁（６、７、８、９）の上端部が収束角度（β）内に配置される
ことを特徴とするボックス。
【請求項１７】
少なくとも２つの壁、好ましくはすべての壁（６、７、８、９）が底面パネル（５）まで８２°と８６°との間の角度（β）で延在する構成である
請求項１６に記載のボックス。
【請求項１８】
仕切壁（１３）が底面パネル（５）の一部から成り、底面パネル（５）の一部が底面パネル（５）から切り抜かれ、底面パネル（５）の面から底面パネル（５）に垂直な面に折り曲げられる構成である
請求項１６または１７に記載のボックス。
【請求項１９】
仕切壁（１３）が少なくとも１つの切欠き（１４）を底面パネル（５）から離間した端部領域に有し、切欠き（１４）が仕切壁（１３）に、ボックス（２）を運搬するための開口を形成する構成である
請求項１６ないし１８のいずれかに記載のボックス。
【請求項２０】
ボックス（２）が長手方向軸（Ｌ）を有し、仕切壁（１３）が長手方向軸（Ｌ）に対して２０°と４０°との間の角度（α）で延在する構成である
請求項１６ないし１９のいずれかに記載のボックス。
【請求項２１】
ボックス（２）がフラットパネル部材（１５）から成り、壁（６、７、８、９）及び仕切壁（１３）がフラットパネル部材（１５）の部分をフラットパネル部材（１５）の面から折り曲げることによって形成され、底面パネル（５）がフラットパネル部材（１５）の一部である
請求項１６ないし２０のいずれかに記載のボックス。
【請求項２２】
少なくとも１つの壁（６）が開口部（１２）を有する
請求項１６ないし２１のいずれかに記載のボックス。
【請求項２３】
開口部（１２）が壁（６）の中央に配置される
請求項２２に記載のボックス。
【請求項２４】
スロット（１０）が壁（６）に配置され、開口部（１２）から、底面パネル（５）から離間した壁（６）の端部まで延在する構成である
請求項２２または２３に記載のボックス。
【請求項２５】
開口部（１２）が壁（６）に対して垂直方向から見て、円形、楕円形または長方形である
請求項２２ないし２４のいずれかに記載のボックス。
【請求項２６】
フラットパネル部材（１５）がフラットな底面素材から穴抜きされる部分である
請求項２１ないし２５のいずれかに記載のボックス。
【請求項２７】
壁（６、７、８、９）の少なくとも１つが、２つの壁部分（６、６”、８’、８”）から成り、２つの壁部分（６、６”、８’、８”）がパネル部材（１１）によって形成され、お互いに対して折り曲げられる構成である
請求項２１ないし２６のいずれかに記載のボックス。
【請求項２８】
折り目（１６）及び／または穴抜き部分（１７）が底面パネル（５）と壁（６、７、８、９）との間に配置される
請求項２１ないし２７のいずれかに記載のボックス。
【請求項２９】
底面パネル（５）の角が丸みを帯びている（１８）構成である
請求項１６ないし２８のいずれかに記載のシステム。
【請求項３０】
ボックス（２）が厚紙またはボール紙から成る
請求項１６ないし２９のいずれかに記載のボックス。
【手続補正２】
【補正対象書類名】明細書
【補正対象項目名】０００３
【補正方法】変更
【補正の内容】
【０００３】
さらに、特許文献１から、バッグを用いて一足の運動靴を梱包し、その後搬送のため、及び販売用の展示のために容器に梱包することが知られている。
また、その他の搬送システム及び特にシューズボックスとして、特許文献２〜６が公知である。
【手続補正３】
【補正対象書類名】明細書
【補正対象項目名】０００６
【補正方法】変更
【補正の内容】
【０００６】
【特許文献１】米国特許第７５８１６４３号
【特許文献２】中国登録実用新案第２８６１０６５号
【特許文献３】ドイツ公開特許第１９６２１２８１号
【特許文献４】国際公開第２００６／１１３５０８号
【特許文献５】イギリス公開特許第２０３５９６０号
【特許文献６】フランス公開特許第１５５７９１２号
【手続補正４】
【補正対象書類名】明細書
【補正対象項目名】０００８
【補正方法】変更
【補正の内容】
【０００８】
この目的に対する解決策として、履物、特に運動靴のための搬送用ボックス及び／または販売用ボックスと、弾性材料製のバッグとを備えるシステムを提案する。本システムでは、ボックスは履物のための収納空間を有する。収納空間は少なくとも部分的に、底面パネル及び底面パネルから延在する少なくとも２つの、好ましくは４つの壁によって画定される。少なくとも１つの壁は開口部を有する。バッグはボックスを収容するための収容空間を有し、バッグを運搬するためのハンドルを有する。ボックス及びバッグは、ボックスがバックの中にあるときに、ハンドルを壁の１つにある開口部に通すように設計される。少なくとも２つの壁は、底面パネルまで８０°と８９°の間の角度で延伸し、壁の上端部は収束角度内に配置される。
好ましくは、少なくとも２つの壁、より好ましくは、すべての壁は８２°と８６°との間の角度で底面パネルまで延在する。それにより、ボックスの積み重ねが極めて容易になる。
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
履物、特に運動靴のための搬送用及び／または販売用ボックス（２）と、弾性材料製のバッグ（３）とを備えたシステム（１）であって、
ボックス（２）が、履物を収納する収納空間（４）を有し、収納空間（４）が、少なくとも部分的に底面パネル（５）及び底面パネル（５）から延在する少なくとも２つ、好ましくは４つの壁（６、７、８、９）によって画定され、少なくとも１つの壁（６）が開口部（１２）を有し、
バッグ（３）が、ボックス（２）を収容する収容空間と、バッグ（３）を運搬するためのハンドル（１１）とを有し、
ボックス（２）がバッグ（３）の中にあるとき、ハンドル（１１）が壁（６）の開口部（１２）に通される構成であり、
少なくとも２つの壁（６、７、８、９）が底面パネル（５）まで８０°と８９°との間の角度（β）で延在し、壁（６、７、８、９）の上端部が収束角度（β）内に配置される
ことを特徴とするシステム。
【請求項２】
少なくとも２つの壁、好ましくはすべての壁（６、７、８、９）が底面パネル（５）まで８２°と８６°との間の角度（β）で延在する構成である
請求項１に記載のシステム。
【請求項３】
開口部（１２）が壁（６）の中央に配置される
請求項１または２に記載のシステム。
【請求項４】
スロット（１０）が壁（６）に配置され、開口部（１２）から、底面パネル（５）から離間した壁（６）の端部まで延在する構成である
請求項１または３のいずれかに記載のシステム。
【請求項５】
開口部（１２）が壁（６）に対して垂直な方向から見て円形、楕円形または長方形である
請求項１ないし４のいずれかに記載のシステム。
【請求項６】
ボックス（２）が底面パネル（５）に連結する仕切壁（１３）を有し、仕切壁（１３）が底面パネル（５）に略垂直に配置され、収納空間（４）を２つの部分（４’、４”）に区切る構成である
請求項１ないし５のいずれかに記載のシステム。
【請求項７】
仕切壁（１３）が底面パネル（５）の一部から成り、底面パネル（５）の一部が底面パネル（５）から切り抜かれ、底面パネル（５）に垂直な面に折り曲げられる構成である
請求項６に記載のシステム。
【請求項８】
仕切壁（１３）が少なくとも１つの切欠き（１４）を底面パネル（５）から離間した端部領域に有し、切欠き（１４）が仕切壁（１３）に、ボックス（２）を運搬するための開口を形成する構成である
請求項６または７に記載のシステム。
【請求項９】
仕切壁（１３）が、ボックス（２）の長手方向軸（Ｌ）に対して２０°と４０°との間の角度（α）で延在する構成である
請求項６ないし８のいずれかに記載のシステム。
【請求項１０】
ボックス（２）がフラットパネル部材（１５）から成り、壁（６、７、８、９）及び仕切壁（１３）がフラットパネル部材（１５）の部分をフラットパネル部材（１５）の面から折り曲げることによって形成され、底面パネル（５）がフラットパネル部材（１５）の一部を構成する
請求項６ないし９のいずれかに記載のシステム。
【請求項１１】
フラットパネル部材（１５）がフラットな底面素材から穴抜きされる部分である
請求項１０に記載のシステム。
【請求項１２】
壁（６、７、８、９）の少なくとも１つが、２つの壁部分（６、６”、８’、８”）から成り、２つの壁部分（６、６”、８’、８”）がフラットパネル部材（１５）によって形成され、お互いに対して折り曲げられる構成である
請求項１０または１１に記載のシステム。
【請求項１３】
折り目（１６）及び／または穴抜き部分（１７）が底面パネル（５）と壁（６、７、８、９）との間に配置される
請求項１０ないし１２のいずれかに記載のシステム。
【請求項１４】
底面パネル（５）の角が丸みを帯びている（１８）構成である
請求項１ないし１３のいずれかに記載のシステム。
【請求項１５】
ボックス（２）が厚紙またはボール紙から成る
請求項１ないし１４のいずれかに記載のシステム。
【国際調査報告】
2013525210.tif 000020
2013525210.tif 000021
2013525210.tif 000022
2013525210.tif 000023
2013525210.tif 000024